(57)【要約】【課題】回転停止された状態の像保持体が回転開始された際のクリーニング不良を防止する。【解決手段】残留トナー帯電回転ブラシを回転させると共に、−８００ｖの帯電調整バイアスを印加する。そうすることよって、残留トナー帯電回転ブラシと感光体との間で発生する放電や、電荷注入により、残留トナー帯電回転ブラシに溜まった除電された未帯電の転写残留トナーが、所定の極性に十分に再帯電される。そして、感光体が回転開始され、転写残留トナーが感光体１２に多量に排出される。回転開始時に多量に吐き出された転写残留トナーは、前述したように十分に所定の極性に再帯電されているので、回収回転ブラシに回収される。したがって、回転が停止された状態の感光体が回転開始された際のクリーニング不良が防止される。【選択図】図５
2008304812.tif 000002
【特許請求の範囲】
【請求項１】
回転する像保持体と、
前記像保持体の表面を帯電する帯電手段と、
前記帯電手段によって帯電された前記像保持体に静電潜像を形成する情報書き込み手段と、
前記情報書き込み手段によって形成された静電潜像を現像剤によって可視化し、現像剤像を形成する現像手段と、
可視化された現像剤像を被転写体に転写させる転写手段と、
前記転写手段の下流側に配設され、前記像保持体に接触し回転されると共に、所定の極性の電圧が印加され、前記像保持体に残留する残留現像剤を前記所定の極性に帯電させる残留現像剤帯電回転ロールと、
前記残留現像剤帯電回転ロールの下流側に配設され、前記像保持体に接触すると共に、前記残留現像剤帯電回転ロールによって所定の極性に帯電した残留現像剤を電気的に吸着して回収する残留現像剤回収手段と、
を有し、
回転停止された状態の前記像保持体が回転開始される際、前記残留現像剤帯電回転ロールに電圧が印加され且つ回転された後に、前記像保持体が回転されることを特徴とした画像形成装置。
【請求項２】
前記残留現像剤帯電回転ロールは、導電性ブラシによって、前記像保持体に接触する表面層が形成されていることを特徴とする請求項１に記載の画像形成装置。
【請求項３】
前記残留現像剤帯電回転ロールは、導電性の繊維からなる布によって、前記像保持体に接触する表面層が形成されていることを特徴とする請求項１に記載の画像形成装置。
【請求項４】
前記残留現像剤帯電回転ロールの前記表面層を形成する導電性の繊維からなる前記布は、前記導電性の繊維が編み込まれた布、当該導電性繊維が織り込まれた布、および当該導電性繊維からなる不織布のいずれかで構成されていることを特徴とする請求項３に記載の画像形成装置。
【請求項５】
残留現像剤回収手段は、前記像保持体に接触されると共に、前記残留現像剤帯電回転ロールによって所定の極性に帯電された残留現像剤を電気的に吸着して回収する回収回転ロールを有することを特徴とする請求項１〜請求項４のいずれか１項に記載の画像形成装置。
【請求項６】
前記回収回転ロールは、導電性ブラシによって、前記像保持体に接触する表面層が形成されていることを特徴とする請求項５に記載の画像形成装置。
【請求項７】
前記回収回転ロールは、導電性の繊維からなる布によって、前記像保持体に接触する表面層が形成されていることを特徴とする請求項５に記載の画像形成装置。
【発明の詳細な説明】
【技術分野】
【０００１】
本発明は、画像形成装置に関する。
【背景技術】
【０００２】
画像形成装置において、転写されずに感光体に残留した転写残留トナーを感光体から除去する構成として、所定の電圧が印加された導電性の固定ブラシや回転ブラシ等の残留トナー帯電手段によって転写残留トナーを所定の極性に帯電させた後、残留トナー帯電手段の下流側に配置された導電性の固定ブラシや回転ブラシ等の回収手段が所定の極性に帯電された転写残留トナーを電気的に吸着して回収する構成が知られている（例えば、特許文献１〜特許文献３を参照）。
【０００３】
このようにして転写残留トナーを感光体から除去する構成においては、残留トナー帯電手段（固定ブラシや回転ブラシ等）がトナーや外添剤で汚れていく。汚れた状態になると、突発的に残留トナー帯電手段に溜まっているトナーが点状（ぼた状）に吐き出されることがある。そして。平均的な転写残量トナーやリトランスファー量よりも、この点状のトナーは量が多く帯電しづらい。しかし、このように多量に吐き出される点状のトナーも通常使用時はきちんと所定の極性に帯電されており、下流の回収手段で問題なくクリーニングされる（また、点状に吐き出される頻度も少ない）。
【０００４】
さて、画像形成装置がしばらく休止されると（装置が停止していると）、残留トナー帯電手段に溜まった（所定の極性に帯電された）転写残留トナーは、徐々に除電されてしまう（略０チャージ状態となる）。特に、高温高湿下において顕著となる。
【０００５】
このため、残留トナー帯電手段に溜まった除電された未帯電の転写残留トナーが、休止後に感光体が回転駆動された際に、残留トナー帯電手段によって所定の極性に十分に帯電されていないまま、点状に多量に感光体上に吐き出されることがある。
【０００６】
そして、このように吐き出された未帯電のままの転写残留トナーは、下流側の回収手段が電気的に吸着して回収することができずに、クリーニング不良が発生することがあった。
【特許文献１】特開昭６３−２２３６８１号公報
【特許文献２】特開昭６３−２２３６８２号公報
【特許文献３】特開平０９−２６９７１０号公報
【発明の開示】
【発明が解決しようとする課題】
【０００７】
本発明は、上記問題を解決すべく成されたもので、回転停止された状態の像保持体が回転開始された際のクリーニング不良を防止することが目的である。
【課題を解決するための手段】
【０００８】
上記目的を達成するために請求項１に記載の画像形成装置は、回転する像保持体と、前記像保持体の表面を帯電する帯電手段と、前記帯電手段によって帯電された前記像保持体に静電潜像を形成する情報書き込み手段と、前記情報書き込み手段によって形成された静電潜像を現像剤によって可視化し、現像剤像を形成する現像手段と、現像剤像を被転写体に転写させる転写手段と、前記転写手段の下流側に配設され、前記像保持体に接触し回転されると共に、所定の極性の電圧が印加され前記像保持体に残留する残留現像剤を前記所定の極性に帯電させる残留現像剤帯電回転ロールと、前記残留現像剤帯電回転ロールの下流側に配設され、前記像保持体に接触する共に、前記残留現像剤帯電回転ロールによって所定の極性に帯電した残留現像剤を電気的に吸着して回収する残留現像剤回収手段と、を有し、回転停止された状態の前記像保持体が回転開始される際は、前記残留現像剤帯電回転ロールに電圧が印加され且つ回転された後に、前記像保持体が回転されることを特徴としている。
【０００９】
請求項１に記載の画像形成装置では、転写手段よりも下流側に配設された残留現像剤帯電回転ロールによって、転写した後の像保持体に残留する現像剤が所定の極性に帯電される。所定の極性に帯電した現像剤は、残留現像剤帯電回転ロールの下流側に配設された残留トナー回収手段によって電気的に吸着され回収される。
【００１０】
さて、回転停止された状態の像保持体が回転開始される際においては、残留現像剤帯電回転ロールに電圧が印加され回転され、その結果、残留現像剤帯電回転ロールに残留した現像剤が所定の極性に帯電された後に、像保持体が回転される。よって、像保持体が回転開始された際に、残留現像剤帯電回転ロールから吐き出される現像剤は所定の極性に十分に帯電されているので、残留現像剤回収手段により電気的に吸着され回収される。したがって、回転停止された状態の像保持体が回転開始された際のクリーニング不良が防止される。
【００１１】
請求項２に記載の画像形成装置は、請求項１に記載の構成において、前記残留現像剤帯電回転ロールは、導電性ブラシによって、前記像保持体に接触する表面層が形成されていることを特徴としている。
【００１２】
請求項２に記載の画像形成装置は、導電性ブラシに一時的に保持されることによって、現像剤が所定の極性により確実に帯電される。
【００１３】
請求項３に記載の画像形成装置は、請求項１に記載の構成において、前記残留現像剤帯電回転ロールは、導電性の繊維からなる布によって、前記像保持体に接触する表面層が形成されていることを特徴としている。
【００１４】
請求項３に記載の画像形成装置では、導電性の繊維からなる布に一時的に保持されることによって、現像剤が所定の極性により確実に帯電される。なお、布は残留現像剤の保持能力が高いので、残留現像剤を所定の極性に帯電させる帯電能力が高い。
【００１５】
請求項４に記載の画像形成装置は、請求項３に記載の構成において、前記残留現像剤帯電回転ロールの前記表面層を形成する導電性の繊維からなる前記布は、前記導電性の繊維が編み込まれた布、当該導電性繊維が織り込まれた布、及び当該導電性繊維からなる不織布のいずれかで構成されていることを特徴としている。
【００１６】
請求項４に記載の画像形成装置では、不織布は、導電性の繊維の方向がランダムであるため、残留現像剤の保持能力がより高いので、残留現像剤を所定の極性に帯電させる帯電能力が高い。また、導電性の繊維が編み込まれた布と織り込まれた布は、それぞれ、その構造上の理由で毛抜けが発生しにくく、毛抜けによる画質ディフェクトなどが防止又は抑制される。
【００１７】
請求項５に記載の画像形成装置は、請求項１〜請求項４のいずれ１項に記載の構成において、残留現像剤回収手段は、前記像保持体に接触されると共に、前記残留現像剤帯電回転ロールによって所定の極性に帯電された残留現像剤を電気的に吸着して回収する回収回転ロールを有することを特徴している。
【００１８】
請求項５に記載の画像形成装置では、像保持体に接触される回収回転ロールによって、所定の極性に帯電された残留現像剤が、より確実に回収される。
【００１９】
請求項６に記載の画像形成装置は、請求項５に記載の構成において、前記回収回転ロールは、導電性ブラシによって、前記像保持体に接触する表面層が形成されていることを特徴としている。
【００２０】
請求項６に記載の画像形成装置では、所定の極性に帯電された残留現像剤を、導電性ブラシが電気的に吸着すると共に、かきとっても除去する。よって、所定の極性に帯電された残留現像剤をより確実に回収される。
【００２１】
請求項７に記載の画像形成装置は、請求項５に記載の構成において、前記回収回転ロールは、導電性の繊維からなる布によって、前記像保持体に接触する表面層が形成されていることを特徴としている。
【００２２】
請求項７に記載の画像形成装置では、所定の極性に帯電された残留現像剤を、導電性の繊維からなる布が電気的に吸着すると共に、かきとっても除去する。よって、所定の極性に帯電された残留現像剤をより確実に回収される。更に、導電性の繊維からなる布が像保持体に面接触するので、像保持体の傷の発生が抑えられる。
【発明の効果】
【００２３】
以上説明したように本発明によれば、残留現像剤帯電回転ロールに電圧を印加し回転させた後に像保持体を回転させることで、像保持体が回転開始された際に、残留現像剤帯電回転ロールから吐き出される現像剤を所定の極性に十分に帯電させ、その結果、残留現像剤回収手段に電気的に吸着されて回収されることで、回転停止された状態の像保持体が回転開始された際のクリーニング不良を防止することができる、という優れた効果を有する。
【発明を実施するための最良の形態】
【００２４】
図１は、本発明の実施形態に係る画像形成装置１００の概略構成を示している。
【００２５】
画像形成装置１００は、図示しないパーソナルコンピュータ等の画像データ入力装置から送られてくるカラー画像情報に基づいて画像処理を行い、電子写真方式によって記録用紙Ｐにカラー画像を形成する。
【００２６】
画像形成装置１００には、イエロー（Ｙ）、マゼンタ（Ｍ）、シアン（Ｃ）、ブラック（Ｋ）の各色のトナー像を形成する画像形成ユニット１０Ｙ，１０Ｍ，１０Ｃ，１０Ｋを備えている。なお、以降、ＹＭＣＫを区別する必要がある場合は、符号の後にＹ、Ｍ、Ｃ、Ｋのいずれかを付して説明し、ＹＭＣＫを区別する必要が無い場合は、Ｙ、Ｍ、Ｃ、Ｋを省略する。
【００２７】
画像形成ユニット１０Ｙ，１０Ｍ，１０Ｃ，１０Ｋは、バックアップロール３４と複数の張架ロール３２Ａ，３２Ｂによって張架された無端状の被転写体としての中間転写ベルト３０の進行方向（矢印Ｘ１）に対して、画像形成ユニット１０Ｙ，１０Ｍ，１０Ｃ，１０Ｋの順番で直列に配列されている。また、中間転写ベルト３０は、像保持体としてのドラム状の感光体１２Ｙ，１２Ｍ，１２Ｃ，１２Ｋと、それぞれ対向して配設される一次転写ロール１６Ｙ、１６Ｍ，１６Ｃ，１６Ｋとの間を挿通している。
【００２８】
つぎに、各画像形成ユニット１０Ｙ，１０Ｍ，１０Ｃ，１０Ｋの構成と画像形成の動作とを、なお、各画像形成ユニット１０Ｙ，１０Ｍ，１０Ｃ，１０Ｋは、同様の構成であるので、Ｙ、Ｍ、Ｃ、Ｋを省略する。
【００２９】
図２に示すように、矢印Ｘ２方向に回転する像保持体としてのドラム状の感光体１２が、帯電手段としての帯電ロール５０により表面が一様に帯電される。
【００３０】
つぎに、露光装置１４（図１参照）により各色画像に対応する像露光がなされ、感光体１２の表面に各色画像に対応する静電潜像が形成される。
【００３１】
各色画像に対応する静電潜像は、現像装置１５の現像バイアスが印加された現像ロール１８に担持された各色トナーによって現像され、各色トナー像となる。各色のトナー像は、転写手段としての一次転写ロール１６の圧接力と、一次転写ロール１６に印加された転写バイアスによる静電吸引力と、によって、中間転写ベルト３０上に一次転写される。
【００３２】
そして、感光体１２の表面は、つぎの画像形成サイクルの為、帯電ロール５０で再び帯電される。
【００３３】
なお、一次転写では、各色トナー像は全て中間転写ベルト３０に転写されず、一部が転写残留トナーとして、感光体１２に残留する。感光体１２に残留した転写残留トナーは、クリーニング装置２００によって除去される。なお、クリーニング装置２００についての詳細は、後述する。
【００３４】
さて、図１に示すように、画像形成装置１００では、各画像形成ユニット１０Ｙ，１０Ｍ，１０Ｃ，１０Ｋの相対的な位置の違いを考慮したタイミングで、上述した画像形成工程が各画像形成ユニット１０Ｙ，１０Ｍ，１０Ｃ，１０Ｋにおいて行われ、中間転写ベルト３０上に、順次、Ｙ，Ｍ，Ｃ，Ｋの各色トナー像が重ねられ、フルカラートナー像が形成される。
【００３５】
そして、所定のタイミングで二次転写位置Ｂへと搬送されてきた記録用紙Ｐに、転写バイアスが印加された二次転写ロール３６の静電吸引力によって、中間転写ベルト３０からフルカラートナー像が一括して、記録用紙Ｐに転写される。
【００３６】
フルカラートナー像が転写された記録用紙Ｐは、中間転写ベルト３０から分離した後、定着装置３１へと搬送され、熱と圧力とによりフルカラートナー像が記録用紙Ｐに定着する。
【００３７】
記録用紙Ｐに転写されなかった中間転写ベルト３０上の転写残留トナーは、感光体１２に再転写されたのち、前述したクリーニング装置２００Ｙ，２００Ｍ，２００Ｃ，２００Ｋによって、除去される。
【００３８】
つぎに、クリーニング装置２００の詳細について説明する。
【００３９】
図２に示すように、クリーニング装置２００は、一次転写ロールの下流側（感光体１２の回転方向下流側）に配設され、感光体１２の回転軸と平行な回転軸まわりに回転可能とされた残留トナー帯電回転ブラシ２１０を有している。残留トナー帯電回転ブラシ２１０は、金属製のシャフト２１２（回転軸）のまわりに、感光体１２に接触する導電性ブラシ２１４が設けられた構成とされている。なお、導電性ブラシ２１４は、導電性の繊維が植毛された基布をシャフト２１２にスパイラル状に捲きつけて接着することで形成される。
【００４０】
残留トナー帯電回転ブラシ２１０の下流側には、感光体１２の回転軸と平行な回転軸まわりに回転可能とされた回収回転ブラシ２２０が配設されている。回収回転ブラシ２２０も残留トナー帯電回転ブラシ２１０と同様に、金属製のシャフト２２２（回転軸）のまわりに、感光体１２に接触する導電性ブラシ２２４が設けられた構成とされている。
【００４１】
更に、この回収回転ブラシ２２０に接触すると共に回転軸が回収回転ブラシ２２０と平行とされた回収ロール２３０を有している。この回収ロール２３０の表層は、カーボンブラックを分散させて抵抗値を調整したフェノール樹脂からなっている。また、この回収ロール２３０の周面にスクレーパー２３２が接触している。なお、回収ロールは、例えば、アルミニウム合金やステンレス合金鋼等の金属に、スクレーパー２３２との摺動を円滑に行なうためのフッ素樹脂等（例えば、テフロン（登録商標））の被膜を形成したものを用いることもできる。なお、このような構成は、一例であり、システムに応じて適宜選択できる。
【００４２】
なお、本実施形態においては、電源（図示略）によって、残留トナー帯電回転ブラシ２１０には帯電調整バイアスとして−８００ｖが、回収回転ブラシ２２０にはクリーニングバイアスとして＋５０ｖが、回収ロール２３０には回収バイアスとして＋４５０ｖが、所定のタイミングで印加される。
【００４３】
また、クリーニング装置２００用の駆動機構（図示略）によって、残留トナー帯電回転ブラシ２１０は矢印Ｙ１方向に、回収回転ブラシ２２０は矢印Ｙ２方向に、回収ロール２３０は矢印Ｙ３方向に、所定のタイミングで回転される。なお、回転方向、回転速度は、システムに応じて適宜選択されるものであり限定されない。
【００４４】
なお、感光体１２とクリーニング装置２００とは各々独立して回転駆動される（別々のタイミングで駆動開始及び停止可能とされている）。
【００４５】
さて、図５に示すように、本実施形態においては、クリーニング装置２００が動作開始してから、感光体１２が回転するように制御されている。換言すると、残留トナー帯電回転ブラシ２１０の回転駆動開始及び帯電調整バイアスが印加され、また、回収回転ブラシ２２０の回転駆動開始及びクリーニングバイアスが印加された後、感光体１２が回転駆動を開始するように制御されている。
【００４６】
なお、図１に示すように、画像形成装置１００には、入力された画像データに基づいて、画像形成装置１００に内蔵された各機器の動作を制御して記録用紙Ｐへの画像の形成を制御する制御部１５０が備えられている。制御部１５０は、各部材に印加される電圧や回転駆動の開始及び停止を制御する。よって、上述した、残留トナー帯電回転ブラシ２１０の回転駆動開始及び帯電調整バイアスの印加、回収回転ブラシ２２０の回転駆動開始及びクリーニングバイアスの印加、感光体１２が回転駆動開始なども、制御部１５０が制御可能とされている。
【００４７】
つぎに、本実施形態の作用について説明する。
【００４８】
まず、画像形成ユニット１０において各色トナー像を形成して中間転写ベルト３０に転写し、転写後の感光体１２に発生した転写残留トナーを回収するまでの流れを詳しく説明する。なお、本実施形態においては、マイナス極性が正極性であり、プラス極性が逆極性である。
【００４９】
図２に示すように、感光体１２が図中矢印Ｘ２方向へ回転すると、まず、帯電ロール５０によって感光体１２の表面が均一に所定の極性電位に帯電される。
【００５０】
更に感光体１２が回転すると、露光装置１４（図１参照）によって画像データに基づいて走査露光され、感光体１２の露光された部分の電位が低下して、静電潜像が形成される。そして、現像バイアス電圧が印加された現像ロール１８に担持されたマイナス極性に帯電したトナーを、静電潜像（露光され電影が低下した部分）に電気的に付着させることにより、静電潜像を現像（可視化）して各色のトナー像が形成される。
【００５１】
そして、このようにして感光体１２の表面に形成された各色のトナー像は、感光体１２の回転に伴って一次転写位置Ａを通過する際に、トナーの極性と逆極性の転写電圧が印加された一次転写ロール１６に電気的に引き寄せられて、感光体１２から中間転写ベルト３０へ一次転写される。
【００５２】
しかし、中間転写ベルト３０に転写されずに感光体１２に残留したり、また、中間転写ベルト３０に上流側で転写されたトナーが下流側の感光体１２に逆転写されて、感光体１２に残留する転写残留トナーが発生する。この転写残留トナーには、一次転写位置Ａを通過する際に一次転写ロール１６に印加されているプラスの転写電圧によって極性がプラスに反転した逆極性のトナーも含まれている。
【００５３】
そこで、本実施形態では、クリーニング装置２００の残留トナー帯電回転ブラシ２１０に、−８００Ｖの帯電調整バイアスを印加して感光体１２との間で放電を発生させて、通過する転写残留トナーを帯電し、極性をマイナス極性（本実施形態における正極性）に統一する。この残留トナー帯電回転ブラシ２１０を通過した後の感光体１２の周面は、残留トナー帯電回転ブラシ２１０による放電によって電位が約−３５０Ｖとなる。
【００５４】
そして、＋５０Ｖのクリーニングバイアスが印加された回収回転ブラシ２２０で、マイナス極性に帯電した転写残留トナーを電気的に吸着させて回収（クリーニング）する。
【００５５】
回収された転写残留トナーは、回収回転ブラシ２２０から、＋４５０の回収バイアスが印加された回収ロール２３０に移動され、スクレーパー２３２によって掻き落とされ、廃トナーケース（図示略）に回収される。なお、回収回転ブラシ２２０と感光体１２との電位差は４００Ｖであり、放電開始電圧である４５０Ｖより小さいため放電は発生しない。
【００５６】
ところで、残留トナー帯電回転ブラシ２１０は、使用時間の経過に伴って次第に転写残留トナーが堆積される。
【００５７】
画像形成装置１００がしばらく休止されると（装置が停止していると）、残留トナー帯電手段に溜まった（所定の極性に帯電された）転写残留トナーは、徐々に除電されてしまう（時間の経過と共に最終的には略０チャージになる）。特に、高温高湿下において顕著となる。
【００５８】
そこで、本実施形態では、まず、図５に示すように、残留トナー帯電回転ブラシ２１０を回転させると共に、−８００ｖの帯電調整バイアスを印加する。そうすることよって、残留トナー帯電回転ブラシ２１０と感光体１２との間で発生する放電や、電荷注入により、残留トナー帯電回転ブラシ２１０に溜まった除電された未帯電の転写残留トナーが、所定の極性に十分に再帯電される。
【００５９】
そして、感光体１２が回転開始され転写残留トナーが感光体１２に多量に排出される。回転開始時に多量に吐き出された転写残留トナーは、前述したように十分に所定の極性に再帯電されているので、回収回転ブラシ２２０に回収される。したがって、回転が停止された状態の感光体１２が回転開始された際のクリーニング不良が防止される。
【００６０】
なお、本実施形態においては、帯電調整バイアスが印加された状態の残留トナー帯電回転ブラシ２１０が５回転したのち、感光体１２が回転を開始するように制御されている。
【００６１】
また、本実施形態では、残留現像剤帯電回転ロールとして、金属製のシャフト２１２（回転軸）のまわりに、感光体１２に接触する導電性ブラシ２１４が設けられた残留トナー帯電回転ブラシ２１０を用いているが、これに限定されない。
【００６２】
例えば、図３に示すように、シャフト５１２（回転軸）の周囲にスポンジやゴムなどからなる導電性を有する弾性層５１４が設けられ、この弾性層５１４の表面に導電性を有する布層（表面層）５１６が被覆された回転布ロール５１０であってもよい。
【００６３】
なお、布層５１６は、導電性繊維を編み込んで布状に形成したものや、導電性繊維を織り込んで布状に形成したもの、更には、導電性繊維からなる不織布等で構成されている。また、絶縁性繊維から布を形成した後に導電化処理をすることで、導電性を付与してもよい。
【００６４】
なお、不織布は、導電性の繊維の方向がランダムであるため、残留現像剤の保持能力がより高いので、残留現像剤を所定の極性に帯電させる帯電能力が高い。また、導電性の繊維が編み込まれた布と織り込まれた布は、それぞれ、その構造上の理由で毛抜けが発生しにくく、毛抜けによる画質ディフェクトなどが防止又は抑制される。
【００６５】
また、このような回転布ロール５１０は、表面に柔らかい導電性繊維からなる布層５１６を有し、加えて、布層５１６の下層に弾性層５１４を有する構成とすることで、感光体１２の表面に対する摺擦力が低下される。特に、弾性層５１４と布層５１６とを積層して構成することで、回転布ロール５１０の弾性を自在に調整することができるので、例えば、感光体１２の表面特性に応じた低い摺擦力を設定することができる。これにより、感光体１２表面が削られたり、傷つけたりするのが抑制される。
【００６６】
なお、削り取られた感光体１２の成分が感光体１２表面に固着され、固着された成分が核となって更にトナーの成分も固着し、感光体１２表面に斑状や雨だれ状の付着域が生成されることがある。このような現象は「フィルミング」と呼ばれ、形成された画像に斑状や雨だれ状の白抜けといった画像不良を発生させる要因となる。また、感光体１２表面が削られることにより生じる傷が、画像にスジ状の汚れ等の画像不良を発生させるという不都合も生じる場合がある。
【００６７】
そして、このような現象に対して、回転布ロール５１０を用いることで、感光体１２表面に対する機械的な摺擦力を低く設定し、上述したような画像不良の発生を、より確実に抑えることが可能とされる。
【００６８】
つぎに、図５に示すように、感光体１２が回転開始した直後に残留トナー帯電回転ブラシ２１０から吐き出されるボタ状の転写残留トナーの帯電量及び回収回転ブラシ２２０におけるクリーニング性を、図５に示すように、帯電調整バイアスが印加された状態の残留トナー帯電回転ブラシ２１０が５回転したのち感光体１２が回転を開始する場合（本実施形態）と、図６に示すように、残留トナー帯電回転ブラシ２１０の回転、帯電調整バイアス印加、及び感光体１２の回転が同時である場合（比較例）と、で比較した実験の結果について説明する。
【００６９】
なお、本実験においては、所定の枚数連続的に画像を形成したのち高温高湿（２８℃、８５％ＲＨ）の環境下で１２時間休止し、再度画像を形成した。
【００７０】
更に、残留トナー帯電回転ブラシ２１０（図２参照）と回転布ロール５１０（図３参照）との両方で実験を行なった。
【００７１】
また、回転ブラシと回転布ロールに使用された繊維は、ＫＢセーレン（株）製のＣ．Ｂ分散ナイロン（登録商標）の導電糸で、割繊繊維を使用した。また、アルカリ溶液により割繊した後０．５ｄ（２４８Ｔ／４５０Ｆ）の太さのものである。（割繊前は３７０Ｔ/５０Ｆ）。回転ブラシの毛長は、２．５ｍｍ、密度は４８６Ｋｆ/inch2であった。回転布ロールは、上記繊維を平織りした布を導電性の発泡ポリウレタンロールに接着し作成した。
【００７２】
なお、本実施形態と比較例とは、回転駆動開始と帯電調整バイアス印加のタイミングが異なるだけで、それ以外は全て同様の構成である。
【００７３】
図４に示すように、比較例では、転写残留トナーの平均帯電量は、回転布ロール５１０では平均帯電量が−１０μｃ／ｇであり、残留トナー帯電回転ブラシ２１０では、平均帯電量が−５μｃ／ｇであった。また、このように帯電量が低いので、回収回転ブラシ２２０での回収は十分でなく、クリーニング性に問題が生じた。
【００７４】
これに対して本実施形態では、転写残留トナーの帯電量は、回転布ロール５１０では平均帯電量が−４０μｃ／ｇであり、残留トナー帯電回転ブラシ２１０では、平均帯電量が−２８μｃ／ｇであった。また、このように帯電量が十分高いので、回収回転ブラシ２２０での回収は十分であり、クリーニング性に問題は生じなかった。
【００７５】
なお、このように、回転布ロール５１０の方が残留トナー帯電回転ブラシ２１０よりも転写残留トナーを所定の極性に帯電させる帯電能力が高い。
【００７６】
なお、本発明は上記実施形態に限定されない。
【００７７】
例えば、上記実施形態では、図５に示すように、回収回転ブラシ２２０は、残留トナー帯電回転ブラシ２１０（又は回転布ロール５１０）の回転開始及び帯電調整バイアス印加と同時に、回転開始及びクリーニングバイアス印加されていたが、これに限定されない。感光体１２の回転と同時であってもよい。
【００７８】
また、例えば、上記実施形態では、残留トナー帯電回転ブラシ２１０（又は回転布ロール５１０）の回転開始及び帯電調整バイアス印加は同時であったが、これに限定されない。回転開始と帯電調整バイアス印加とのタイミングが多少ずれていてもよい。
【００７９】
また、例えば、上記実施形態では、残留トナー帯電回転ブラシ２１０（又は回転布ロール５１０）が５回転してから、感光体１２が回転開始したが、これに限定されない。十分に所定の極性に帯電されていれば、５回転以下であってもよい。或いは、装置構成等に応じて５回転以上回転させたのち、感光体１２が回転開始する構成であってもよい。
【００８０】
また、上記実施形態では、図２に示すように、回収回転ブラシ２２０は残留トナー帯電回転ブラシ２１０と同様の構成であったがこれに限定されない。例えば、回転布ロール５１０（図３）との同様の構成であってもよい。
【００８１】
更に、上記実施形態で説明した画像形成装置１００の構成（図１参照。）、画像形成ユニット１０Ｙ，１０Ｍ，１０Ｃ，１０Ｋの構成（図２参照）等は、一例であり、本発明の主旨を逸脱しない範囲内において適宜変更可能であることは言うまでもない。
【００８２】
例えば、画像形成ユニット１０Ｙ、１０Ｍ、１０Ｃ、１０Ｋを備えており、当該画像形成ユニット１０Ｙ、１０Ｍ、１０Ｃ、１０Ｋが中間転写体ベルト３０に面して並列に配置され、中間転写体ベルト３０が１周する間に４色のトナー像を重ね合せる、いわゆるタンデム式のフルカラープリンタであったがこれに限定されない。例えば、シアン、マゼンタ、イエロー、ブラックの各色に対応した現像器を円周上に配置したロータリー現像装置を備え、このロータリー現像装置を回転させることにより現像器を順次切り換えて、各色に対応した静電潜像が形成された感光体（像保持体）と対向させ、対応するカラートナーにより現像する所謂ロータリー現像方式を用いたフルカラープリンタであってもよい。或いは、フルカラープリンタでなく、モノクロプリンターであってもよい。
【００８３】
また、例えば、上記実施形態では、被転写材は中間転写ベルト３０であったがこれに限定されない。例えば、直接、感光体１２（像保持体）から記録用紙Ｐに転写される構成の画像形成装置の場合は、被転写体は記録用紙Ｐとなる。
【図面の簡単な説明】
【００８４】
【図１】本発明の実施形態に係る画像形成装置の全体構成を示す図である。
【図２】本発明の実施形態に係る画像形成ユニットの詳細な構成を示す図である。
【図３】残留現像剤帯電ロール及び回収回転ロールに適用可能な回転布ロールの構成を示す軸方向と直交する断面の断面図である。
【図４】本発明の感光体が回転開始した直後に残留トナー帯電回転ブラシから吐き出されたボタ状の転写残留トナーの帯電量及び回収回転ブラシのクリーニング性を、本実施形態）と比較例と、で比較した実験の結果を示す表である。
【図５】本発明の実施形態に係る画像形成装置における各種バイアスの印加及び回転駆動のタイミングを模式的に示すタイミングチャート図である。
【図６】比較例における各種バイアスの印加及び回転駆動のタイミングを模式的に示すタイミングチャート図である。
【符号の説明】
【００８５】
１２      感光体（像保持体）
１４      露光装置（情報書き込み手段）
１５      現像装置（現像手段）
１６      一次転写ロール（転写手段）
３０      中間転写ベルト（被転写体）
５０      帯電ロール（帯電手段）
１００      画像形成装置
２１０      残留トナー帯電回転ブラシ（残留現像剤帯電回転ロール）
２２０      回収回転ブラシ（残留現像剤回収手段、回収回転ロール）
２３０      回収ロール（残留現像剤回収手段）
５１０      回転布ロール（残留現像剤帯電回転ロール、回収回転ロール）
【図１】
2008304812.tif 000003
【図２】
2008304812.tif 000004
【図３】
2008304812.tif 000005
【図４】
2008304812.tif 000006
【図５】
2008304812.tif 000007
【図６】
2008304812.tif 000008